(57)【要約】【課題】  本発明は、使い勝手にすぐれたルーバーを提供することを目的とする。【解決手段】  ルーバー１は、その上部の上ブラケット１０に取付けられた車１００と、ルーバー１の下部の下ブラケット１１の建物室内側に基端部１２０が配置され、一方、前記手摺２１の側面内側２１０に先端部１２１が配置されるフック片１２を備えている。そして、前記上ブラケット１０の車１１０が前記ベランダ天井２２に固定されたレール２４を走行し、前記フック片１２が前記手摺２１にガイドされつつ、前記手摺２１に沿って可動可能になっている。前記下ブラケット１１には前記フック片１２を昇降可能に支持する昇降支持部１３が設けられ、前記フック片１２の先端部１２１にはクサビ１４が取付けられ、このクサビ１４に圧着されることで前記手摺２１の側面内側２１０に圧着されるクサビ受け１５が取付けられている。【選択図】        図２
2006200305.tif 000002
【特許請求の範囲】
【請求項１】
建物に設けられた手摺に沿って可動可能な可動式ルーバーにおいて、
この可動式ルーバーの下部に取付けられた下ブラケットと、基端部が下ブラケットの建物室内側に配置され、一方、先端部が前記手摺の側面内側に配置されるフック片と、このフック片を昇降可能に取付ける昇降支持部と、前記フック片の先端部に取付けられるクサビと、このクサビに圧着されることで前記手摺に圧着されるクサビ受けを備えたことを特徴とする可動式ルーバー。
【請求項２】
前記クサビは、前記クサビ受けに向けて常時付勢されていることを特徴とする請求項１に記載の可動式ルーバー。
【請求項３】
建物に設けられた手摺に沿って可動可能な可動式ルーバーにおいて、
この可動式ルーバーの下部に取付けられた下ブラケットと、基端部が下ブラケットの建物室内側に配置され、一方、先端部が手摺の側面内側に配置されたフック片と、このフック片を昇降可能に取付ける昇降支持部と、前記フック片の先端部に取付けられるクサビと、前記手摺に形成されるクサビ受けを備えたことを特徴とする可動式ルーバー。
【発明の詳細な説明】
【技術分野】
【０００１】
本発明は、建物のベランダ等に配置される可動可能な可動式ルーバーに関する。
【背景技術】
【０００２】
ベランダ、バルコニー、その他建物の共用通路等において、目隠し、調光又は通風の調整等を行うことができる可動式ルーバーが、特許文献１に開示されている。
【０００３】
この特許文献１の可動式ルーバーは、手すりに沿って配設される被覆部材と、当該被覆部材の上部及び下部の走行軌道を規制する上規制手段及び下規制手段から成り、前記下規制手段は、前記手すりの両側部に面した揺動制限部を具備することを特徴とし、前記揺動制限部に前記手すりの両側部又は上部を押圧する挟持手段を設けるものである。
この挟持手段は、ステンレス等にネジ孔を切ったタップ板を重設した内垂下壁にネジ孔を設け、当該ネジ孔に押さえボルトを内向きに螺合すると共に、外垂下壁の内面下端部に押さえバッドを固着したものである（特許文献１  段落００１３及び図３）。
この挟持手段は、風等による無秩序且つ危険な移動の防止手段とされ、またレンチ等の工具を用いることなく前記被覆部材の静止状態を十分に維持することができるものとしている。
【特許文献１】特開２００３−１３８６４４
【発明の開示】
【発明が解決しようとする課題】
【０００４】
しかし、この特許文献１に係る可動式ルーバーの挟持手段には、改良すべき課題がある。
即ち、特許文献１の図３（ロ）に図示されているように、前記押さえボルトを螺合させた場合に、ルーバー自体がベランダの室内側に傾斜することになり、居住者に不安定感を与える。
また、風のある日には前記押さえボルトを螺合させる必要があり、ルーバーを可動させる場合には、その螺合を解除する必要があり、さらに、その移動後に風がでてきた場合には、再度押さえボルトを螺合させる必要がある等、各使用段階で押さえボルトの操作が必要になり、使い勝手が煩雑な点である。
さらに、ルーバーを可動させた後に、押さえボルトの操作を怠ると、風によりルーバーが揺れて手すりに接触して、ガタツキ音が発生し、また手すりが破損する恐れがある。
そこで、本発明は、このような課題を解決し、使い勝手にすぐれた可動式ルーバーを提供することを目的とする。
【課題を解決するための手段】
【０００５】
上記課題を解決するため本発明に係る可動式ルーバーは、その下部に取付けられた下ブラケットと、基端部が下ブラケットの建物室内側に配置され、一方、先端部が前記手摺の側面内側に配置されるフック片と、このフック片を昇降可能に取付ける昇降支持部と、前記フック片の先端部に取付けられるクサビと、このクサビに圧着されることで前記手摺に圧着されるクサビ受けを備えたことを特徴とする（請求項１に記載の発明）。
【０００６】
上記発明において、前記クサビは、前記クサビ受けに向けて常時付勢されていることを特徴とする（請求項２に記載の発明）。
【０００７】
また、上記課題を解決するため本発明に係る可動式ルーバーは、その下部に取付けられた下ブラケットと、基端部が下ブラケットの建物室内側に配置され、一方、先端部が手摺の側面内側に配置されたフック片と、このフック片を昇降可能に取付ける昇降支持部と、前記フック片の先端部に取付けられるクサビと、前記手摺に形成されるクサビ受けを備えたことを特徴とする（請求項３に記載の発明）。
ここで、クサビ受けとは、手摺に一体的に固着されているピース材としてのクサビ受けも含まれるし、また手摺の形材の一部を構成するクサビ受け部のような構成も含まれる。
【発明の効果】
【０００８】
本発明によれば、可動させる場合に煩雑な操作が必要ではなく、風によりルーバーのガタツキ音や手すり等の破損を防ぐことができ、またルーバー自体がベランダの室内側に傾斜することなく、居住者に安定感を与えることができる、使い勝手にすぐれた可動式ルーバーを提供することができる。
【発明を実施するための最良の形態】
【０００９】
本発明に係るルーバーの実施形態を図面に基いて説明する。
図１は実施形態に係る可動式ルーバーを取付けたベランダの正面図、図２は同ルーバーの縦断面図、図３は同ルーバーの要部側面図、図４は同ルーバーの昇降支持部の平面図、図５は同ルーバーの移動を支える手摺の断面図、図６（Ａ）及び（Ｂ）は同ルーバーの作用を説明する要部断面図である。
これらの各図において、同一の構成は同一の符号を付して重複した説明を省略する。
【００１０】
実施形態に係る可動式ルーバー（以下、単にルーバーともいう）１は、図１に示したように、例えば建物２のベランダ２０の手摺２１とベランダ２１の天井２２間に配置されるもので、図２に示したようにルーバー１の上部の上ブラケット１０と、この上ブラケット１０に取付けられた車１００と、ルーバー１の下部の下ブラケット１１と、この下ブラケット１１の建物室内側２３に基端部１２０が配置され、一方、前記手摺２１の側面内側２１０に先端部１２１が配置されるフック片１２を備えている。
前記下ブラケット１１には前記フック片１２を昇降可能に支持する昇降支持部１３が設けられ、前記フック片１２の先端部１２１にはクサビ１４が取付けられ、このクサビ１４に圧着されることで前記手摺２１の側面内側２１０に圧着されるクサビ受け１５が取付けられている。
【００１１】
このルーバー１によれば、前記クサビ１４はバネ１６により前記クサビ受け１５に向けて常時付勢されているので、常時ルーバー１が手摺２１に略固定された状態にあり、風によるルーバー１のガタツキが原因となる手摺２１や車１００等の部材の破損や、ガタツキ音の発生を防止することができる。
また、ルーバー１を移動させる場合にのみ、前記昇降支持部１３でフック片１２を下降操作すればよく、この場合には、前記上ブラケット１０の車１１０が前記ベランダ天井２２に固定されたレール２４を走行し、前記クサビ１４及びクサビ受け１５が前記手摺２１にガイドされつつ、ルーバー１が手摺２１に沿って可動できるようになっている。
また、ルーバー１を所定の位置に移動させた段階で、昇降支持部１３から手を離せば自動的にルーバー１が手摺２１に略固定されるので、使い勝手にすぐれたルーバー１となっている。
さらに、前記クサビ受け１５が手摺２１に圧着される場合にもルーバー１自体が傾斜することなく、安定的な静止状態を保持できる。
【００１２】
前記ルーバー１は、上下左右の各框１Ａ〜１Ｄを備え、これらの各框１Ａ〜１Ｄによって囲まれた框面１Ｅには複数の羽根板１Ｆが設けられている。
これらの羽根板１Ｆは、目隠し、通風、採光の役割を果たすものであるが、各羽根板１Ｆのそれぞれ開閉角度が自由に設定できるように揺動可能に構成してもよい。また、前記上下框１Ａ、１Ｂの中央に縦框を設けて横長に構成してもよし、羽根板１Ｆを縦方向に配置したものでもよい。
なお、ルーバー１に代えて、パンチングメタルのような金属板パネルのものに、ガラス板状のものを可動させてもよい。
【００１３】
前記上ブラケット１０は、略Ｌ字材に形成され、その横片が前記上框１Ａの上部に固定されていると共に、その縦片に前記車１００が軸着されている。
前記下ブラケット１１は、２枚の略Ｌ字材１１０、１１１で形成され、前記略Ｌ字材１１０が、その長孔（図示せず）を介して水平方向に固定位置を調整可能に、前記下框１Ｄの下部に固定されている。また、前記略Ｌ字材１１１が、その長孔（図示せず）を介して鉛直方向に固定位置を調整可能に前記略Ｌ字材１１０に固定されている。
前記上ブラケット１０及び下ブラケット１１とも上記各構成に限定されるものではなく、例えば、下ブラケット１１については、２枚の略Ｌ字材１１０、１１１を１枚のアングル材で構成したものでもよい。
なお、前記Ｌ字材１１１の横片１１１ａには、前記フック片１２の先端部１２１が昇降できる孔１１１ｂが設けられ、また前記クサビ受け１５が固定されている。
【００１４】
前記フック片１２は、図３に図示したように、略薄板状、略棒状等のものを略Ｌ字状に形成し、その基端部１２０を下ブラケット１１の建物室内側２３に配置し、フック片１２の横片１２ａにロッド状材１２ｂを固定し、先端部１２１とし、前記手摺２１の側面内側２１０に配置している。
前記フック片１２として、この実施形態では図４のように横幅Ｗの略薄板状のものを用いている。
【００１５】
前記昇降支持部１３は、図４に図示したように、本体１３０と、蓋１３１と、これらの本体１３０及び蓋１３１を合体させた場合に形成されて前記フック片１２の基端部１２０を昇降可能に支持する孔１３０ａと、前記基端部１２０に連結される連結軸１３２と、この連結軸１３２を昇降させるレバー１３３からなり、前記本体１３０及び蓋１３１が前記下ブラケット１１に止着されている。
【００１６】
前記クサビ１４は、図３に示したように前記フック片１２の先端部１２１の自由端に固定されているもので、前記手摺２１の長手方向に交差する左右側面１４ａが略台形状に形成され、全体として台形角錐台、円錐台状等に成形されているものを用いる。
この実施形態では、図３に示したように、前記手摺２１の側面内側２１０の側面２１０ａに接する面１４ｃが前記側面２１０ａと略平行に形成され、一方、前記クサビ受け１５に接する面１４ｄがクサビ受け１５に対応するように傾斜して形成されている。
このように構成されたクサビ１４は、前記フック片１２の横幅Ｗと略同一幅か、それ以下の幅サイズとなっている。
【００１７】
前記クサビ受け１５は、図３に示したように略Ｌ字状に形成され、その横片１５０が前記前記Ｌ字材１１１の横片１１１ａに固定され、その縦片１５１の前記クサビ１４に対向する面１５１ａが前記クサビ１４の面１４ｄに対応するように傾斜して形成されている。
また、前記手摺２１の側面内側２１０の側面２１０ｂに接する面１５１ｂが前記側面２１０ｂと略平行に形成されている。
なお、前記横片１５０には、前記Ｌ字材１１１の横片１１１ａと同様に、前記フック片１２の先端部１２１が昇降できる孔１５０ａが設けられている。
このように構成された前記クサビ受け１５の横幅は、前記フック片１２の横幅Ｗと略同一か、それ以下のサイズとなっている。
【００１８】
前記バネ１６は、前記クサビ受け１５の横片１５０と前記クサビ１４間に配置される圧縮バネで構成されているが、前記クサビ１４を常時付勢できるものであれば、圧縮バネに限定されるものではない。
また、クサビ受け１５の面１５１ａと、前記クサビ１４の面１４ｄを上記実施形態とは線対称になるような方向に傾斜させて、前記バネ１６として前記クサビ１４を下方に常時付勢するものとしてもよい。
以上のように構成された、前記フック片１２、昇降支持部１３、クサビ１４、クサビ受け１５及びバネ１６は、この実施形態においては図１に図示されているように２組にしているが、１組でも２以上の複数組でもよい。
【００１９】
図５に示したように、前記手摺２１の横桟２１１の建物室内側２３には、下方が開放された開放部２１２が形成されており、この開放部２１２により側面内側２１０が構成されている。
【００２０】
次に以上のように構成されたルーバー１の操作例を図６（Ａ）及び同図（Ｂ）に基いて説明する。
前記ルーバー１は、図６（Ａ）に示したように前記バネ１６により前記クサビ１４が前記手摺２１の側面２１０ａと、前記クサビ受け１５の面１５１ａに圧着され、そのクサビ受け１５の面１５１ｂが前記側面２１０ｂに圧着されている。
よって、クサビ１４と前記手摺２１の側面２１０ａ間、クサビ１４とクサビ受け１５と前記側面２１０ｂとの摩擦力により、ルーバー１が手摺２１に略固定されている状態となっている。
この状態から、ルーバー１を移動ざせるには、昇降支持部１３のレバー１３３を押し下げればよい。その結果、図６（Ｂ）のように前記クサビ１４と前記側面２１０ａとの間にクリアランスが形成され、またクサビ受け１５と前記側面２１０ｂとの間にもクリアランスが形成され、前記摩擦力からクサビ１４とクサビ受け１５を開放されて、ルーバー１が可動可能となる。この状態でルーバー１を手で可動させればよい。
可動後に、レバー１３３から手を離せば自動的に図６（Ａ）に示した状態に復帰して、使い勝手の良いルーバー１となっている。
【００２１】
前記クサビ１４、クサビ受け１５に代えて、図７（Ａ）及び同図（Ｂ）に示したように略円錐台状のクサビ１４Ａと、これに対応する孔を設けたクサビ受け１５Ａであって、弾性に優れたものを用いても良い。
さらに、前記クサビ受け１５を省いて側面内側２１０自体を前記クサビ受け１５の形状と略同様に形成してもよい。
即ち、クサビ受け１５は、手摺２１の形材の一部を構成するクサビ受け部のような構成でもよいし、手摺に一体的に固着されているピース材としてのクサビ受けも含まれる。
これらの構成においても、クサビ１４がクサビ受け部等に圧着されて、上記実施形態と同一の作用効果を奏する。
【００２２】
上記実施形態では、一枚のルーバー１をベランダ２０に配置しているが、同一のルーバー１を２枚以上配置してもよい。
また、前記ルーバー１は前記ベランダ２０に配置されているが、その他、建物の外階段、外廊下に配置してもよい。
【図面の簡単な説明】
【００２３】
【図１】実施形態にかかるルーバーが配置された建物ベランダの室内側正面図、
【図２】同ルーバーの側断面、
【図３】同ルーバーの要部側断面図、
【図４】同ルーバーの昇降支持部の平面図、
【図５】同ルーバーの手摺の側断面図、
【図６】（Ａ）（Ｂ）同ルーバーの動作説明図、
【図７】（Ａ）（Ｂ）別例のルーバーの構成例図。
【符号の説明】
【００２４】
１  可動式ルーバー                      ２  建物
２０  ベランダ                          ２１  手摺
２２  天井                              １０  ブラケット
１００  車                              １１  下ブラケット
２３  建物室内側                        １２０  基端部
２１０  側面内側                        １２１  先端部
片１２  フック                          １３  昇降支持部
１４  １４Ａ  クサビ                    １５  １５Ａクサビ受け
１６  バネ                              １Ａ〜１Ｄ  上下左右の各框
１Ｅ  框面                              １Ｆ  羽根板
１１０、１１１  略Ｌ字材                １１１ａ  横片
１１ｂ  孔１                            １２ａ  横片
１２ｂ  ロッド状材                      １３０  本体
１３１  蓋                              １３０ａ  孔
１３２  連結軸                          １３３  レバー
１４ａ  左右側面                        ２１０ａ  側面
１４ｃ  接する面                        １４ｄ  接する面
１５０  横片                            １５１  縦片
２１０ｂ  側面                          １５０ａ  孔
１６  バネ                              ２１２  開放部
【図１】
2006200305.tif 000003
【図２】
2006200305.tif 000004
【図３】
2006200305.tif 000005
【図４】
2006200305.tif 000006
【図５】
2006200305.tif 000007
【図６】
2006200305.tif 000008
【図７】
2006200305.tif 000009